(57)【要約】【課題】  チャンネルブラシを装着し、開閉動作するエレベータドアへの確実な固定保持をなすことのできるエレベータ設備の敷居溝の清掃用ブラシを得ること。【解決手段】  上部のエレベータドアへの取付け部１０と、下部のチャンネルブラシ１のチャンネル材２を抱持するアリ溝形状の抱持空間Ｓを有する抱持部１１と、からブラシ保持部１２が形成され、該ブラシ保持部１２は相対接する２枚の保持板部材１３Ａ，１３Ｂの合体より組み立てられてなる。【選択図】  図２
2017178606.tif 000002
【特許請求の範囲】
【請求項１】
上部は所定長さを有し幅狭の平板状の取付け部をなし、下部は拡幅されて、内部に下方に開くとともに下方に至るにつれて空間幅が縮小するアリ溝形状の抱持空間を有してなり、前記上部と下部とによりブラシ保持部が形成され、
前記ブラシ保持部は相対接する２枚の保持板部材の合体よりなり、
前記ブラシ保持部のアリ溝形状の抱持空間にチャンネルブラシのチャンネル材を抱持するとともに、
前記ブラシ保持部の上部の取付け部を介して被取付け体に取り付けられる、
ことを特徴とする清掃用ブラシ。
【請求項２】
ブラシ保持部は面対称を採る２枚の保持板部材よりなり、該２枚の保持板部材を相対接して組み立てられてなる請求項１に記載の清掃用ブラシ。
【請求項３】
ブラシ保持部は非対称を採る２枚の保持板部材よりなり、該２枚の保持板部材を相対接して組み立てられてなる請求項１に記載の清掃用ブラシ。
【請求項４】
エレベータのドアパネルの下端に装着され、ブラシによりエレベータ設備の敷居溝を清掃する清掃用ブラシであって、
上部は所定長さを有し幅狭の平板状の取付け部をなし、下部は拡幅されて、内部に下方に開くとともに下方に至るにつれて空間幅が縮小するアリ溝形状の抱持空間を有してなり、前記上部と下部とによりブラシ保持部が形成され、
前記ブラシ保持部は相対接する２枚の保持板部材の合体よりなり、
前記ブラシ保持部のアリ溝形状の抱持空間にチャンネルブラシのチャンネル材を抱持するとともに、
前記ブラシ保持部の上部の取付け部を前記ドアパネルに取り付けられる、
ことを特徴とする清掃用ブラシ。
【請求項５】
ブラシ保持部は面対称を採る２枚の保持板部材よりなり、該２枚の保持板部材を相対接して組み立てられてなる請求項４に記載の清掃用ブラシ。
【請求項６】
ブラシ保持部は非対称を採る２枚の保持板部材よりなり、該２枚の保持板部材を相対接して組み立てられてなる請求項４に記載の清掃用ブラシ。
【発明の詳細な説明】
【技術分野】
【０００１】
この発明は、清掃用ブラシ、更に詳しくはチャンネルブラシを装着してなる清掃用ブラシに関し、特にはエレベータのドアパネルに装着されてエレベータ設備の敷居溝の清掃に使用されて好適な清掃用ブラシに関する。
【背景技術】
【０００２】
チャンネルブラシは従来より公知である。
図１はその構造を示し、（ａ）図はその断面、（ｂ）図はその側面を示す。
図において、チャンネルブラシ１は、チャンネル材２と芯材３とブラシフィラメント４ａを集合したブラシ４とからなる。
チャンネル材２は長手（ｘ軸）方向に長さｌを有し、薄厚の鋼材、ステンレス材、その他の金属材が採用され、芯材３は硬質の線材よりなり、多数のブラシフィラメント４ａを芯材３を軸に巻き懸けて帯状に広げたチャンネル材２をかしめ、所定の長さｌ及び所定の断面形状（図１（ａ）参照）に成形してなる。すなわち、チャンネル材２は図（図１（ａ））において逆台形状いわゆるアリ形状をなす。
しかして、このチャンネルブラシ１はその素材のままで使用されることも、あるいはチャンネル材２に柄を付けてハンド形式のブラシとして、更には、長尺のチャンネルブラシ１をそのチャンネル材２を介して金属円筒体の外周に螺旋状に捲回・溶着して工業用ブラシとして使用され、多種のブラシが製作されるものである。
【先行技術文献】
【特許文献】
【０００３】
【特許文献１】特開２０００−１５９４６３号公報
【発明の概要】
【発明が解決しようとする課題】
【０００４】
本発明はこのチャンネルブラシの更なる適用を図るべく、運動（変位移動）する物体への確実な固定をなすことのできる清掃ブラシを得ることを目的とするものである。そのような物体としてエレベータ設備のエレベータドアがあり、エレベータドアに取り付けられて敷居溝の清掃をなす清掃ブラシへの適用においては、更に信頼性が要請されるものである。
本発明はこのため、被取付け体への取付け体において、チャンネルブラシを強固に固定保持する抱持部を設けることによりこの目的を達成し得るとの知見に基づいてなされたものである。
【課題を解決するための手段】
【０００５】
本発明の清掃用ブラシは具体的には以下の構成を採る。
（第１発明）
本発明の第１は清掃用ブラシに係り、請求項１に記載のとおり、
上部は所定長さを有し幅狭の平板状の取付け部をなし、下部は拡幅されて、内部に下方に開くとともに下方に至るにつれて空間幅が縮小するアリ溝形状の抱持空間を有してなり、前記上部と下部とによりブラシ保持部が形成され、
前記ブラシ保持部は相対接する２枚の保持板部材の合体よりなり、
前記ブラシ保持部のアリ溝形状の抱持空間にチャンネルブラシのチャンネル材を抱持するとともに、
前記ブラシ保持部の上部の取付け部を介して被取付け体に取り付けられる、
ことを特徴とする。
本第１発明は、以下の実施形態でより一層具体的に示され、かつはその実施形態から抽出される発明概念である。
上記において、
イ）「抱持」は対象物の上部、側面のみならず前後（ｘ方向）における拘束を意味する。具体的には、チャンネルブラシのチャンネル材の断面形状及びその長手方向の長さが一致することを意味する。
また、上記構成において、
１）ブラシ保持部は面対称を採る２枚の保持板部材よりなり、該２枚の保持板部材を相対接して組み立てられてなること、
２）ブラシ保持部は非対称を採る２枚の保持板部材よりなり、該２枚の保持板部材を相対接して組み立てられてなること、
３）保持板部材の合体の接合手段は、取外し可能態様（具体的にはねじ止め）、取外し不能態様（具体的にはスポット溶接、プレスかしめ）が採られるが、いずれの態様においても強固かつ正確になされること、
は適宜採択される設計的事項である。
【０００６】
（作用）
本清掃用ブラシは２枚の保持板部材を相対接させて組み立て、これにより形成される抱持空間にチャンネルブラシのチャンネル材を組み込んで組立てをなす。
チャンネルブラシの下方（ｚ軸方向）への抜出しは、チャンネルブラシのチャンネル材がブラシ保持部の抱持空間のアリ溝斜面により大きな抜出し阻止力を受け、その抜出しは確実に阻止される。更に、チャンネルブラシの長手（ｘ軸）方向への抜出しもブラシ保持部における抱持空間の抱持作用（具体的には両端部の抜止め体の存在）により阻止される。
【０００７】
（第２発明）
本発明の第２は、エレベータに装着される清掃用ブラシに係り、請求項４に記載のとおり、
エレベータのドアパネルの下端に装着され、ブラシによりエレベータ設備の敷居溝を清掃する清掃用ブラシであって、
上部は所定長さを有し幅狭の平板状の取付け部をなし、下部は拡幅されて、内部に下方に開くとともに下方に至るにつれて空間幅が縮小するアリ溝形状の抱持空間を有してなり、前記上部と下部とによりブラシ保持部が形成され、
前記ブラシ保持部のアリ溝形状の抱持空間にチャンネルブラシのチャンネル材を抱持するとともに、
前記ブラシ保持部の上部の取付け部を前記ドアパネルに取り付けられる、
ことを特徴とする。
本第２発明は、以下の実施形態でより一層具体的に示され、かつはその実施形態から抽出される発明概念である。
上記において、
イ）「抱持」は対象物の上部、側面のみならず前後（ｘ方向）における拘束を意味する。具体的には、チャンネルブラシのチャンネル材の断面形状及びその長手方向の長さが一致することを意味する。
また、上記構成において、
１）ブラシ保持部は面対称を採る２枚の保持板部材よりなり、該２枚の保持板部材を相対接して組み立てられてなること、
２）ブラシ保持部は非対称を採る２枚の保持板部材よりなり、該２枚の保持板部材を相対接して組み立てられてなること、
３）保持板部材の合体の接合手段は、取外し可能態様（具体的にはねじ止め）、取外し不能態様（具体的にはスポット溶接、プレスかしめ）が採られるが、いずれの態様においても強固かつ正確になされること、
は適宜採択される設計的事項である。
【０００８】
（作用）
本清掃用ブラシは２枚の保持板部材を相対接させて組み立て、これにより形成される抱持空間にチャンネルブラシのチャンネル材を組み込んで組立てをなす。
本清掃用ブラシのブラシは敷居溝の底面に当接され、敷居溝の異物を清掃する。
本清掃用ブラシの動作中において、チャンネルブラシの下方（ｚ軸方向）への抜出しは、チャンネルブラシのチャンネル材がブラシ保持部の抱持空間のアリ溝斜面により大きな抜出し阻止力を受け、その抜出しは確実に阻止される。更に、チャンネルブラシの長手（ｘ軸）方向への抜出しもブラシ保持部における抱持空間の抱持作用（具体的には両端部の抜止め体の存在）により阻止される。
【発明の効果】
【０００９】
本発明の清掃用ブラシによれば、チャンネルブラシはチャンネル材を介してブラシ保持部の抱持空間に密接嵌合状に、かつアリ溝作用をもって確実に保持され、運動する物体、特にはエレベータドアへの確実な固定をなすことができ、運動中のチャンネルブラシの脱落はなく、信頼性が確保され、長期にわたる使用が可能である。
【図面の簡単な説明】
【００１０】
【図１】本発明の清掃用ブラシに使用されるチャンネルブラシの構造を示し、(a) 図はその断面図（ｂ図の１ａ−１ａ線断面図）、(b) 図はその側面図（ａ図の１ｂ方向矢視図）。
【図２】本清掃用ブラシを構成するブラシ保持部を示し、(a) 図はその断面図（ｂ図の２ａ−２ａ線断面図）、(b) 図はその側面図（ａ図の２ｂ方向矢視図）。
【図３】ブラシ保持部におけるチャンネルブラシのチャンネル材の抱持状態を示す図。
【図４】エレベータ設備におけるエレベータドア下部の構造を示す図。
【図５】(a) (b) 図は本清掃用ブラシのドアの下端への取付け態様の構造を示す断面図。
【図６】本清掃用ブラシのブラシ保持部の他の構造を示す図。
【図７】(a) (b) 図は本清掃用ブラシのブラシ保持部の更に他の構造を示す図。
【図８】本ブラシ保持部の取付け部の他の態様（リベット固定）を示す断面図。
【発明を実施するための形態】
【００１１】
本発明の清掃用ブラシの実施の形態を図面に基づいて説明する。
図１〜図７は本発明の一実施形態のエレベータのドアパネルに装着されてエレベータ設備の敷居溝の清掃に使用されて好適な清掃用ブラシＢへの適用例を示す。
図において、互いに直交するｘ，ｙ，ｚ軸方向はドアパネルの長手（移動）方向、幅方向、高さ方向に対応するものである。
【００１２】
しかして、本清掃用ブラシＢは上部の取付け部１０と下部の抱持空間を有する抱持部１１とからなるブラシ保持部１２に前記したチャンネルブラシ１を装着してなり、該取付け部１０を介して被取付け体（具体的にはドアパネル）に取り付けられて使用されるものである。
以下、各部の詳細構造を説明する。
【００１３】
ブラシ保持部１２（図２参照）
ブラシ保持部１２は、所定長さ（ｘ軸方向）の２枚の互いに対称をなす保持板部材１３（１３Ａ，１３Ｂ）を相対接させ、ねじ１４により一体に組み立てられる。保持板部材１３は被取付け体への取付けに対し、外側を保持板部材１３Ａ、内側を保持板部材１３Ｂに区別されるが、構成において差異がない場合は保持板部材１３と総称する。ねじ１４はねじ頭部１４ａとねじ杆１４ｂからなるが、ねじ杆１４ｂの前端側にはねじが螺設されてなる。そして、該ブラシ保持部１２は上部１０と下部１１との各機能部に区画される。
（取付け部１０）
上部の取付け部１０において、２枚の保持板部材１３Ａ，１３Ｂが相対接し、一定厚さ（ｙ軸方向）を保持する。２枚の保持板部材１３Ａ，１３Ｂには対応する位置に複数（本実施形態では４）のねじ装着孔１６が開設される。ねじ装着孔１６は保持板部材１３Ａがねじ挿通孔とされ、保持板部材１３Ｂにねじ孔１６ａが螺設されてなる。ねじ１４は保持板部材１３Ａのねじ挿通孔１６より挿通され、ねじ頭部１４ａの回動によりねじ杆１４ｂのねじ部を保持板部材１３Ｂのねじ孔１６ａに螺合して締め込み、保持板部材１３Ａ，１３Ｂ相互を圧着固定する。
また、取付け部１０の両端近傍には高さ方向（ｚ軸）に長い長孔１７が開設される。該長孔１７は位置調整をなし、該長孔１７に取付けボルト（２３、図５参照）が挿通され、被取付け体に螺設されているねじ孔に螺合し、この清掃用ブラシＢの被取付け体への取付けに供される。また、被取付け体に取付け用のねじ体が突出状に固設されている場合には、該ねじ体をこの長孔１７に挿通し、取付けボルトに替えてナットの螺合により本清掃用ブラシＢの固定がなされる。なお、該長孔１７を介しての本清掃用ブラシＢの取付け態様は種々あり、叙上の態様に限定されない。
【００１４】
（抱持部１１と抱持空間Ｓ）
下部の抱持部１１は、保持板部材１３Ａ，１３Ｂの下部が相離れ、幅（ｙ軸）方向に拡がる水平壁部１９と、該水平壁部１９の両端から下方に延設されるとともに下方に向けて空間幅（ｙ軸方向）が縮小する傾斜状の側壁部２０とからなり、該両側壁部２０の下端は所定の間隔を採る。２０ａは側壁部２０の内面の傾斜面である。該抱持部１１の両端部には内方への折込みによる抜止め壁２１が形成される。
そして、これらの水平壁部１９、側壁部２０、抜止め壁２１によって囲繞される内部空間Ｓが形成される。また、該抜止め壁２１は通常には側壁部２０の端部に形成した突設部の折込み成形（いわゆるプレス成形）をもって形成されるが、水平壁部１９の突設部の折込み成形、あるいは水平壁部１９及び側壁部２０の突設部（両壁部の間に切込み溝が形成される。）の折込み成形をもってもなすことができる。更には、抜止め壁２１に替え、当該抜止め壁２１の厚みに対応する部位に折込み側に突設する突起体が剛接されてなる態様を除外しない。
しかして、抱持部１１の内部空間Ｓは、長手（ｘ軸）方向にチャンネルブラシ１のチャンネル材２の長さｌに一致する内法（うちのり）ｌを有し、下方に至るにつれその幅を縮小するいわゆるアリ溝を形成し、該内部空間Ｓ内にチャンネルブラシ１のチャンネル材２を抱持する抱持空間を形成する。
【００１５】
チャンネルブラシの組付け
このブラシ保持部１２へのチャンネルブラシ１の組付けは次のようになされる。
チャンネルブラシ１のチャンネル材２に対し、２枚のブラシ保持板部材１３Ａ，１３Ｂの下部の抱持部１１を挟み付け、その抱持空間Ｓ内に密嵌状に抱持し、更に２枚のブラシ保持板部材１３Ａ，１３Ｂの上部を相対接し、ねじ１４により該上部の取付け部１０を固定する。これによりチャンネルブラシ１とブラシ保持部１２とは一体化される。
図３はこの一体化された状態の断面状況を示す。
この一体化された構造により、チャンネルブラシ１の下方（ｚ軸方向）への抜出しは、チャンネルブラシ１のチャンネル材２がブラシ保持部１２の抱持空間Ｓのアリ溝のテーパー面（傾斜面）２０ａにより大きな拘束力すなわち抜出し阻止力を受け、その抜出しは確実に阻止される。更に、チャンネルブラシ１の長手（ｘ軸）方向への抜出しは抱持部１１の両端部の抜止め壁２１により阻止される。
【００１６】
エレベータのドアへの組付け
図４はエレベータ設備のドア部の概略構成を示す。
図において、Ｄはエレベータのドアであり、Ｍは床面ＦにドアＤの直下の長手方向に沿って凹設された敷居溝である。該ドアＤの下端面には中心に沿って取付け用の介装板Ｔが固設され、該介装板Ｔの両側には敷居溝Ｍの側面に対峙（当接も含む。）するドアシューＫが固設され、該ドアシューＫの案内作用によりドアＤは円滑に開閉動作をなす。
本清掃用ブラシＢはこの介装板Ｔを利用して、該介装板Ｔの両端部に取り付けられ、そのブラシ４の下端を敷居溝Ｍの底面に押し当てて配される。
【００１７】
本清掃用ブラシＢの取付け構造（図５、図６参照）
本清掃用ブラシＢのドアＤへの取付けは上記した介装板Ｔへの取付けの外、以下の態様を採る。
１）ドアＤの側面板の内側に突設された取付け用の介装材に本清掃用ブラシＢの取付け部１０を当接し、長孔１７を介して取付けボルト２３の回動締込みにより取り付ける態様。すなわち、取付けボルト２３のボルト頭部２３ａの回動によりねじ杆のねじ部２３ｂを介装材のねじ孔に螺合して固定する。
この場合、介装材は所定厚さの介装材Ｔ１（図５（ａ）参照）、あるいは屈曲をなす介装材（アングル材）Ｔ２（図５（ｂ）参照）の態様を採るが、いずれもブラシＢはドアＤの所定位置（通常はドアＤの中心直下）に配される。
２）ドアＤの側面板の内側に本清掃用ブラシＢの取付け部１０を直接当接して取り付ける態様。この場合、上述した本ブラシＢではドアＤの中心直下に配されないので、図６に示す保持部１２Ａを有する清掃用ブラシＢ１を適用する。
すなわち、図６に示すように、外側の保持板部材１３Ｃと内側の保持板部材１３Ｄとは非対称を採り、両者（１３Ｃ，１３Ｄ）の対接、組立てにより下方の抱持部１１は叙上の清掃用ブラシＢと同一の抱持空間Ｓを形成する（ただし、抜止め壁２１は清掃用ブラシＢと異なる）。
なお、図６ではドアＤの側面板の内側への本清掃用ブラシＢ１の取付けを示したが、ドアＤの側面板の外側へ本清掃用ブラシＢ１を取り付ける態様を除外しない。この場合、保持板部材１３Ｃ（長い水平壁部１９を有する）をドアＤの側面板の外面に当接する態様、保持板部材１３Ｄ（短い水平壁部１９を有する）をドアＤの側面板の外面に当接する態様、の２態様を採る。
【００１８】
清掃作用
このようにしてエレベータ設備のドアＤに取り付けられた本清掃ブラシＢはドアＤの開閉動作に伴い、所期の清掃作用を発揮する。図４において、イはドアＤの開動作方向、ロはドアＤの閉動作方向を示し、ドアＤは開動作において戸袋（図示せず）へ引き込まれ、ドアＤは閉動作において戸袋から引き出される。
本清掃用ブラシＢは、ドアＤの開動作において前回のドアＤの開放中に敷居溝Ｍに入り混んだ異物はドアＤの戸袋への移動に伴い戸袋内の敷居溝Ｍへ掃き出される。これにより敷居溝Ｍは常に正常に保たれ、したがってドアシューＫも正常に動作し、ドアＤは正常な作動を長期に亙り維持する。
本清掃用ブラシＢの長期の動作において、チャンネルブラシ１は保持部１１の抱持空間Ｓに確実に抱持されており、ドアＤの開閉動作に伴うチャンネルブラシ１の脱落はなく、長期にわたる使用が可能である。
【００１９】
（本実施形態の効果）
本清掃用ブラシＢにおいて、チャンネルブラシ１は保持部１１の抱持空間Ｓに密接嵌合状に、かつアリ溝作用をもって確実に抱持されてなるので、ドアＤに取り付けられた本清掃用ブラシＢの長期の動作において、ドアＤの開閉動作に伴うチャンネルブラシ１の脱落はなく、長期にわたる使用が可能である。
【００２０】
（変形例）（図７参照）
叙上の実施形態では抱持部１１は取付け部１０の下方にそのまま連接される態様を採るが、他の態様を除外しない。
（変形例１）
図７（ａ）のブラシ保持部１２Ｂは、抱持部１１が取付け部１０に対して長手（ｘ軸）方向にずれる態様を採る。
（変形例２）
図７（ｂ）のブラシ保持部１２Ｃは、取付け部１０の下方に該取付け部１０よりも短い抱持部１１が配されてなる態様を採る。
その他のブラシ保持部の態様として、取付け部１０及び抱持部１１がともに短い態様（この態様では長孔１７が１箇所）、取付け部１０がｚ軸方向に長い（すなわち高さが高い）態様、を採り得る。
【００２１】
本発明は叙上の実施の形態にのみ限定されるものではなく、本発明の基本的技術思想の範囲内で種々設計変更が可能である。
すなわち、以下の態様は本発明の技術的範囲内に包含される。
１）先の実施形態では中尺及び短尺のチャンネルブラシ１を示したが、それよりも長尺のものを除外しない。
２）先の実施形態ではそのブラシ保持板部材１３が比較的厚い２枚の金属板を用いたが、薄い金属板を用いる場合には以下の態様を採ることができる。
２ａ）それらの取付け部１０での相互の板を、スポット溶接（抵抗溶接、レーザー溶接を含む。）により接合する態様。本態様によれば、被取付け体Ｔへの突出物がなく面一となり、被取付け体Ｔへ密着して取り付けられる。
２ｂ）それらの取付け部１０での相互の板を、プレスかしめ手段により接合する態様。当該かしめ態様には、先に穿設した複数の装着孔（前記した装着孔１６の位置に対応）に塑性変形素材（金属、合成樹脂を含む。）を貫通状に差し込んでなす、イ）リベットかしめ、ロ）ハトメかしめ、等が適用される。
上記イ）のリベット２５を使用したリベットかしめにおいて（図８参照）、被取付け体（介装板Ｔ）側に突出する複数のリベット頭部２５ａは同一面上に揃うものであり、これらの頭部２５ａを被取付け体Ｔに当接して長孔１７を介して装着した取付けボルト２３をもって固定する。この場合、被取付け体Ｔと取付け部１０との間隙に該間隙と同一厚で取付け部１０に接着固定した添接材を介装させる態様を採ることができる。
上記ロ）のハトメかしめにおいては被取付け体Ｔへの突出長は殆どなく、添接板の使用は不要である。
更に、プレスかしめ手段において、ダボかしめによれば被取付け体側への突出部がなく、好適である。
２ｃ）更に、それらの取付け部１０での相互の板を、先に穿設した複数の装着孔（前記した装着孔１６の位置に対応）にボルト・ナットよりなる固定ボルトを装着してナットを締め込んで固定する態様。この態様においても、上記イ）のリベットかしめと同様、被取付け体（介装板Ｔ）側に突出する複数のボルト頭部は同一面上に揃うものであり、これらの頭部を被取付け体Ｔに当接して長孔１７を介して装着した取付けボルト２３をもって固定する。この場合においても、被取付け体Ｔと取付け部１０との間隙に該間隙と同一厚で取付け部１０に接着固定した添接材を介装させる態様を採ることができる。
２ｄ）抱持部１１における傾斜状の側壁部２０の内面に複数の小突起部を長手方向（ｘ軸）及び高さ方向（ｚ軸）に配すること（千鳥状に配することはその一態様である）。すなわち、薄金属板においては若干の弾性が生じるので、チャンネルブラシに下向きの抜出し力が作用した時、両側壁部２０はテーパー作用を発揮するとともに押し広げられ、当該小突起部がチャンネルブラシのチャンネル材に食込み作用をなし、チャンネルブラシの抜出しを阻止する。
【符号の説明】
【００２２】
Ｂ…清掃用ブラシ、Ｓ…抱持空間、Ｄ…エレベータドア、Ｔ…取付け用介装板、Ｍ…敷居溝
１…チャンネルブラシ、２…チャンネル材、１０…取付け部、１１…抱持部、１２…ブラシ保持部、１３（１３Ａ，１３Ｂ，１３Ｃ，１３Ｄ）…保持板部材、１４…ねじ、１６…ねじ装着孔、１７…長孔１７、１９…水平壁部、２０…側壁部、２１…抜止め壁、２３…取付けボルト
【図１】
2017178606.tif 000003
【図２】
2017178606.tif 000004
【図３】
2017178606.tif 000005
【図４】
2017178606.tif 000006
【図５】
2017178606.tif 000007
【図６】
2017178606.tif 000008
【図７】
2017178606.tif 000009
【図８】
2017178606.tif 000010